(57)【特許請求の範囲】
【請求項１】
ブラインド内面側のスラット端部に、スラット間隔より若干幅広の柔軟な対昇降部材干渉回避用のスリットを設けた折り目のない透明シート
の一端をピン接合し、他端を自由端として、ブラインド使用時には、前記透明シートがピン接合部より吊設せられて自由端側が垂下し一段下のスラットにかかる形でエアータイト壁を形成し気密性を確保し、ブラインド格納時には一段下のスラットにかかったまま格納することが可能としたことを特徴とする日射遮蔽装置。
【請求項２】
前記透明シートの自由端側に対昇降部材干渉回避用スリットを備えたことを特徴とする請求項１記載の日射遮蔽装置。
【発明の詳細な説明】
【０００１】
【発明の属する技術分野】
本発明は、一般建築物の窓ガラスの内側に設ける日射遮蔽装置に関する。
【０００２】
【従来の技術】
建築物の窓ガラス面の室内側には、日射によるまぶしさの防止や日射熱の室内への進入の軽減を目的として種々の日射遮蔽装置が配される。
【０００３】
日射遮蔽装置のうち、例えばブラインドによるもののうちには、窓ガラスを二重にし、このガラス間の中空層にブラインドを内蔵するものがあり、中空層に室内空気を通過させることでブラインドに溜まった熱を排出し、在室者への長波長輻射熱の軽減を図るものがある。
【０００４】
このようなブラインド内蔵の二重ガラス窓は、コストが高く普及しにくい欠点があり、また、断熱性の高いことが夏季の夜間においては外部への放熱を妨げている。
【０００５】
この不都合を解消し、低コスト、かつ、簡単な構造でブラインド内蔵の二重ガラスと同様に室内への輻射熱を軽減できるとともに、夏季の夜間に外部への放熱が妨げられることがなく、快適な環境を形成できる新規な日射遮蔽装置を提供するとして、特開平７−１１９３７３号には、図５に示される日射遮蔽装置の提案がなされている。
【０００６】
すなわち、図５において、図中１は窓の窓ガラスで、この窓ガラス１の内側に複数のスラット２で構成するブラインド３を設ける。
【０００７】
そして、このブラインド３のスラット２の室内側の端部に通気性がほとんどない透明シート４を接着剤を用いて取り付け、室外側の端部に通気性と透視性を有するレース状の布などによるシート５を接着する。
【０００８】
このようにして透明シート４と通気性と透視性を有するシート５とを設けたブラインド３の上方に排気ダクト６を設け、該排気ダクト６内に排気ファン７を配設する。
【０００９】
しかして、室外からの日射を遮蔽するには図６ａのように室外側のシート５を引下げ、室内側の透明シート４を引上げてスラット２を斜めにすると、この状態でスラット２の表面に溜まった熱は室外側のシート５を通過して窓ガラス１側に流出し、窓面の上昇気流といっしょになって、排気ファン７により上方の排気ダクト６に排気される。よって、日射熱の室内への流入を大きく軽減できる。
【００１０】
また、スラット２の室内側に設けた透明シート４により、室内への放射熱が妨げる。これにより、室内側への空気の流れを阻止できるから、窓廻りの輻射環境が良好となる。そして、窓ガラス１に沿って発生する冷気流（コールドドラフト）の室内側への流入もこの透明シート４により阻止できるから、特に冬季において断熱性を向上できると同時に暖房負荷を軽減することもできる。
【００１１】
そして、図６ｂに示すようにブラインド３を下ろしたままの状態でスラット２を水平位置にすれば、窓の断熱性を確保しつつ、透明シート４と透視性を有するシート５とを介して外界の眺望を得ることができ、また、室内に明るさを取り込むこともできる。
【００１２】
ブラインド３を引上げるには図６ｃのように透明シート４とシート５とを折り畳むようにして引き上げればよく、夏季の夜間などはこのようにしておけば、外部への放熱が妨げられることもない。
【００１３】
透明シート４とシート５とを取り付けたブラインド３は、窓ガラス１の室内側に後付けにより配設することも可能であり、簡単な装置で二重ガラスと同等の効果を期待できる。
【００１４】
しかして、低コスト、かつ、簡単な構造でブラインド内蔵の二重ガラスと同様に室内への輻射熱を軽減でき高い日射遮蔽性能が期待できるとともに、夏季の夜間に外部への放熱が妨げられることがなく、また、ブラインドを下ろしたままの状態でも眺望を確保でき、年間を通して快適な環境を形成できるものである、としている。
【００１５】
【発明が解決しようとする課題】
叙上の二重ガラス窓に代えて二重シートを配し、畳み込み可能に当該シートをスラットに一体化したものにあっては、日射の最前線にシート５が配されるものとなっているが、ガラスに比しはるかに耐熱性に劣り、劣化伸張は当然のこととして生じるものと解されるが、叙上の如く、当該シートはスラットと一体であるので、スラットの並びに不整を及ぼすものと解される。
【００１６】
後にあるとはいえ、厳しい輻射熱を受けるシート４にあっても程度の差こそあれ、同様の事態は生じるものと解される。
【００１７】
さらに、畳み込み時の体裁は両側に軟体のシートが袋状に突出するものであり、美観上劣る。この出っ張りは最上位のものにあっては、排気の障害となる。
【００１８】
なお、この際シートの軟度によっては畳み込みがし難かったりし、これをスムーズにするべくシートに折れ目を付形するとスジが現われてブラインドを下ろした時の眺望を損なう。
【００１９】
本発明は叙上の事情に鑑みなされたもので、その目的とするところは、不合理な耐熱性に劣るシートの単一面体を日射のもとにさらすエアタイト機構を改め、エアータイト構成材の透明シートが何ら日射のもとでも熱劣化を生じることなく機能し得、体裁上、排気上何らの障害を生じることのない日射遮蔽装置を提供することにある。
【００２０】
【課題を解決するための手段】
上記目的を達成するために、本発明の日射遮蔽装置は、ブラインド内面側のスラット端部に、スラット間隔より若干幅広の柔軟な対昇降部材干渉回避用のスリットを設けた透明シート端をピン接合して、ブラインド使用時には、透明シートが一段下のスラットにかかる形でエアータイト壁を形成し気密性を確保し、ブラインド格納時には一段下のスラットにかかったまま格納することが可能としたものである。
【００２１】
【作用】
ブラインド内面側にスラット間に垂下する透明シートを吊設することで、エアータイト壁を形成し、気密性を確保する。
【００２２】
当該エアータイト壁は上下一体ではなくスラット間に分割されたものであり、その自由下端は下位スラット上に載っており、ピン接合で一体の上位スラットに負担を与えるものではなく、スラット不整のおそれはない。
【００２３】
該垂下のシートは透明でブラインド使用時の眺望を妨げることはない。
【００２４】
スラット間に挟装の該透明シートはブラインド格納時にはスラット間に収納されて突出することがないために、体裁上、排気上何らの障害を生じることがない。
【００２５】
【発明の実施の形態】
本発明の実施の態様を図１〜３に基づいて説明する。
【００２６】
図５、６にあっては既存ブラインドに新たに付加した構成のみの紹介がなされ、あたかも紹介部材のみでスラット支持、傾斜制御、昇降制御がなされる誤解が生じるが、叙上のスラット支持、傾斜制御、昇降制御は次記の構成材にて達成されるものである。
【００２７】
すなわち、図４に示されるところの所謂通常の昇降タイプの横型ブラインド８とは、格子状紐体（ラダーコード）９が該梯子部にて定間隔にスラット１０を抱持受止すると共に該梯子における一対の柱体（ラダーコード９）を相対的に昇降操作してスラット１０の角度調節を行ない、遮光、透光調整をするもので、当該一対の柱体の下端は重しとしてのボトムレール（図示省略）両側に止着されて展張するものであると共に当該ボトムレール中央には該スラット１０を貫通して昇降部材１１が支持のために止着されていて、該ボトムレールの傾きのない昇降を保証するものとなっている。
【００２８】
かかる構成から、最大傾斜の全閉時（スラット１０後縁側（室内）のラダーコードがボトムレール荷重に抗して引き上げられ、スラット１０前縁側（室外）のラダーコードはボトムレール荷重にて展張する）にあっても上、下スラット１０、１０端が水平方向についてはかろうじてラップしている程度で端同志の当接はなく（柱体に間隔をもって止められているため）離間している。
【００２９】
また、上記一対の柱体と同様に該昇降部材１１も展張（ボトムレール支持を受持つ）するものであるため、上記全閉時傾斜姿勢となるスラット１０に穿設の昇降部材用貫通孔１２は傾斜を可能とすべくスラット幅方向について遊びが確保されてあらねばならない。
【００３０】
さて、図１、２において、ブラインド内側のスラット１０端部には、当該スラット１０間隔より若干幅広な柔軟な透明シート１３がその上端をピン接合１４されて、下端を自由にした状態で吊設されている。
【００３１】
当該シート１３は下側に対昇降部材１１干渉回避用スリット１５が設けられている。
【００３２】
しかして、ブラインド使用時には、透明シート１３が一段下のスラット１０にかかる形でエアータイト壁を形成して気密性を確保し（図２ａ）、ブラインド格納時には一段下のスラット１０にかかったまま格納する（図２ｂ）ことが可能となっている。
【００３３】
図３は叙上本発明になるブラインドをヘッドボックス１６に実施した態様を前記のボトムレール１７紹介のもとで示している。
【００３４】
【発明の効果】
本発明の日射遮蔽装置は、上記の如く構成されるので、以下の如き効果を奏する。
【００３５】
エアータイト形成材としての透明シートが従来のものと異なり、スラット間に分割して格納されたうえ、下端を自由端として下位スラットに支持されるという上位スラットに無理を生じることのない合理的構成のため、既存ブラインドに負担をかけることなくエアータイトという在来ブラインドにない機能を見事に付加している。この結果、何らの突起を発生せず、体裁上、排気上の不都合を生じない。
【図面の簡単な説明】
【図１】ａ、ｂはスラット開時の本発明装置の要部平、側面図である。
【図２】ａ、ｂはスラット閉時、透明シート格納時の本発明装置の要部側面図である。
【図３】スラット開時の本発明装置のヘッドボックス適用の説明図である。
【図４】昇降タイプの横型ブラインドの構造説明図である。
【図５】従来の日射遮蔽装置の説明図である。
【図６】ａ、ｂ、ｃは図５に紹介の装置の閉じた状態、開いた状態、巻き上げた状態の説明図である。
【符号の説明】
１  ；  窓ガラス
２  ；  スラット
３  ；  ブラインド
４  ；  透明シート
５  ；  シート
６  ；  排気ダクト
７  ；  排気ファン
８  ；  横型ブラインド
９  ；  ラダーコード
１０  ；  スラット
１１  ；  昇降部材
１２  ；  貫通孔
１３  ；  透明シート
１４  ；  ピン接合
１５  ；  干渉回避用スリット
１６  ；  ヘッドボックス
１７  ；  ボトムレール
【図１】
0004618576.tif 000002
【図２】
0004618576.tif 000003
【図３】
0004618576.tif 000004
【図４】
0004618576.tif 000005
【図５】
0004618576.tif 000006
【図６】
0004618576.tif 000007